(57)【特許請求の範囲】
【請求項１】
植木鉢の土や肥料を部分的に交換する栽培具であって、
植物の根が通過する外枠孔を有する外枠体と、
内枠孔を有し前記外枠体から着脱自在な内枠体と、を有することを特徴とする栽培具
【請求項２】
植木鉢の少なくとも一つの隅部に請求項１記載の栽培具を外枠体と植木鉢とを一体形成にして設けたことを特徴とする植木鉢
【請求項３】
植木鉢の側面若しくは底面に請求項１記載の栽培具を設けたことを特徴とする植木鉢
【発明の詳細な説明】
【技術分野】
【０００１】
本発明は、植物を育成する栽培具及び植木鉢に関する。
【背景技術】
【０００２】
植物は根が伸長している内は活力ある成長をする。鉢植えの場合は根が鉢内の全体に張り巡らされると、生育が停滞し水もち、肥料もちも低下する。また、古い根を切ると、新しい根が成長し始め、株全体が若返る。従来、植木鉢やプランター等の容器を用いた野菜等の植物を栽培する手法として、サイズアップした鉢に植え替える手法や、植物の育成段階に応じて必要な肥料を含んだ用土を順次追加する手法がある。後者の手法について言えば、複数個の容器を用意し、植物若しくは苗が所定の各育成段階に至った時に、植物の各育成段階に応じた用土を容器に入れ、随時容器をつぎ足しながら育成をする。このような手法の栽培容器として、凹凸連結部にて係合する組立式植木鉢に係る考案が開示されている（例えば、[特許文献１]）。
【先行技術文献】
【特許文献】
【０００３】
【特許文献１】実登３１９７７４５号公報
【発明の概要】
【発明が解決しようとする課題】
【０００４】
しかしながら、[特許文献１]に記載の考案では、植物の育成段階に応じて順次容器を重ねていくことで、根の発達から植物の活力ある成長を継続させる必要があるので、その分容器全体の高さが増えるという問題点がある。
【０００５】
本発明は、上記事情に鑑みてなされたものであり、その目的は省スペースで効率的に用土を入れ替えることが可能な栽培具及び植木鉢を提供することである。
【課題を解決するための手段】
【０００６】
本発明は以上の目的を達成するため、植木鉢の土や肥料を部分的に交換する栽培具であって、植物の根が通過する外枠孔を有する外枠体と、内枠孔を有し前記外枠体から着脱自在な内枠体と、を有することを特徴とする栽培具を提供する。又、植木鉢の少なくとも一つの隅部に上記記載の栽培具を外枠体と植木鉢とを一体形成にして設けたことを特徴とする植木鉢を提供する。更に、植木鉢の側面若しくは底面に上記記載の栽培具を設けたことを特徴とする植木鉢を提供する。
【発明の効果】
【０００７】
本発明に係る栽培具及び植木鉢は、内枠体を適宜引き出して用土の交換が可能なため、容器スペースが増大しない。又、用土を入れ替える際に内枠体に侵入した古い根を同時に断根するため、植物の新しい根が張るスペースを確保し旺盛な成長を維持することができる。
【図面の簡単な説明】
【０００８】
【図１】本発明に係る栽培具を示す図である。
【図２】本発明に係る栽培具の外枠体と内枠体を示す図である。
【図３】本発明に係る栽培具の模式断面図である。
【図４】本発明に係る第一の形態の植木鉢を示す図である。
【図５】本発明に係る第一の形態の植木鉢の他の例を示す図である。
【図６】本発明に係る第一の形態の植木鉢の他の例を示す図である。
【図７】本発明に係る第二の形態の植木鉢を示す図である。
【図８】本発明に係る第二の形態の植木鉢の他の例を示す図である。
【図９】本発明に係る第二の形態の植木鉢の他の例を示す図である。
【図１０】第三の形態の植木鉢を示す図である。
【図１１】第三の形態の植木鉢の模式断面図である。
【図１２】本発明に係る栽培具の使用例を示す図である。
【発明を実施するための形態】
【０００９】
本発明に係る栽培具及び植木鉢の実施の形態について図面に基づいて説明する。図１（ａ）に示す本発明に係る栽培具５０は、外枠体４０と用土を入れ替える内枠体３０と、を有する。外枠体４０及び内枠体３０は円筒形状が好ましいが、外枠体４０及び内枠体３０は円筒状に限らず、三角柱、四角柱等の他の多角柱等の形状でもよい。図１（ｃ）は四角柱の栽培具を示している。尚、栽培具５０は後述する植木鉢６０に挿入して使用する。上面と底面の大きさは同一あるいは底面を小さくする。上面と底面の形状は異型でも良い。図１に示すように、上面の縁に高低差３０ａ、３０ｂ、４０ａ、４０ｂを設けることが好ましい。
【００１０】
次に、栽培具５０の外枠体４０及び内枠体３０について図１及び図２を用いて説明する。図２は本発明に係る栽培具５０の外枠体４０及び内枠体３０を示す図である。外枠体４０の素材は合成樹脂素材が好ましいが、必ずしも合成樹脂素材を用いる必要はなく木材や金属素材等を用いてもよい。また、外枠体４０の側面には、栽培する植物の根が通過する複数個の外枠孔４４を有する。当該外枠孔４４は等間隔にあけられ、図１（ｂ）に示すように楕円状を呈することが好ましい。尚、外枠孔４４の形状は楕円状でなく円や三角形、四角形等のいかなる形状でも良い。外枠孔４４は直線状又は千鳥状に、一列又は複数列設けることが望ましい。そして、上面の縁が低い側４０ａの側面に配列することが好ましい。図２（ｂ）に示すように栽培具５０が四角柱の場合は、上面の縁が低い側４０ａの２面に外枠孔４４を配列することができる。
【００１１】
次に、内枠体３０は外枠体４０に対して着脱自在に構成される。内枠体３０の素材も外枠体４０と同様、合成樹脂素材が好ましいが、必ずしも合成樹脂素材を用いる必要はなく木材や金属素材等を用いてもよい。また、内枠体３０の側面には、栽培する植物の根が通過する内枠孔３４を有する。内枠孔３４は直線状又は千鳥状に、一列又は複数列設けることが望ましい。当該内枠孔３４は等間隔にあけられ、外枠孔４４と略同位置で略同等形状が好ましい。よって、内枠体３０を外枠体４０に装着し、土を栽培具５０に補充する場合、内枠孔３４は外枠孔４４と孔の位置が一致する。外枠孔４４と内枠孔３４を一致させた時、上面の縁の低い側３０ａ、４０ａも一致する。これにより、植木鉢６０本体に入れられている土にかけた水を栽培具５０側に流入させることができる。そして土を栽培具５０に補充する前においては外枠孔４４と内枠孔３４を一致させないように逆にセットすることで、図１（ａ）に示すように上面の縁の高い側３０ｂで壁を作り、水やり時の水の流入を防ぐと共に、植木鉢６０本体中の土や、土中の水分も栽培具５０側に流入することを防ぐ。尚、栽培具５０の形状が円柱状の場合、内枠体３０は外枠体４０内にて回転し、外枠孔４４と内枠孔３４との位置をずらすことができる。また、栽培具５０の形状が多角形状の場合は、図１（ｄ）に示すように、一度外枠体４０から内枠体３０を取り出し、回転させてから再度挿入することで、外枠孔４４と内枠孔３４との位置をずらすことができる。
【００１２】
図３（ａ）は本発明に係る栽培具５０のＸ−Ｘ断面図である。また、図３（ｂ）は栽培具５０の縦方向の断面図である。図３（ｂ）に示すように外枠体４０は底面からやや上の位置に外枠体４０の内側に水平に突出する外突条４６を有する。外突条４６は連続でもよく断続していても良い。そして、外突条４６の上に内枠体３０の底面が当接する。このため、外枠体４０に内枠体３０を設置したときに内枠体３０が外枠体４０の上端と同一高さになるように、内枠体３０の高さを設定することが好ましい。この外突条４６は土が外枠体４０内に落ちた時に内枠孔３４と外枠孔４４との位置がずれないようにするためのものである。尚、外突条４６が無い場合、土が外枠体４０内に落ちた時に詰まり、外枠孔４４と内枠孔３４の位置が一致しなくなるが、この外突条４６を有することで、外枠体４０内に落ちた土は外突条４６の下に落下し、これらのことを防止することができる。また、外枠体４０及び内枠体３０の底面には、水捌けのための例えば楕円状の外底孔４２及び内底孔３２を有する。尚、外底孔４２及び内底孔３２の形状は楕円状ではなく他の円形や三角形、四角形等のいかなる形状でも良い。
【００１３】
図４（ａ）（ｂ）は栽培具５０を植木鉢６０に一体形成した本発明に係る第一の形態の植木鉢６０ａを示すである。植木鉢の容量に特に限定はない。形状としてはトマトやナスなどの野菜や木本類のように高く伸びる植物は縦長にし、背の低い葉物の野菜や草花は浅型、盆栽類は更に浅型にすることが望ましい。植木鉢６０ａは角にアールを有する略四角形の形状を呈し、外枠体４０が少なくとも一つの角に位置するように一体成形する。好ましくは、順次土の入れ替えをする際、断根時の一時的なダメージを和らげるため、栽培具５０を複数設けることが好ましい。尚、植木鉢６０ａの形状は図６（ａ）（ｂ）（ｃ）に示すように四角柱や三角柱等の多角柱状や円柱でもよく、また、栽培具５０の形状は植木鉢６０ａの形状に合わせて適宜変更が可能である。図５は四角柱の栽培具５０を設けた植木鉢６０ａである。植木鉢６０ａの側面は上方を広く形成することが望ましいが、底面に対して垂直に形成してもよい。また、植木鉢６０ａの底面には水捌けのための円形状の鉢底孔６２を有する。尚、鉢底孔６２は必ずしも円形である必要はなく他の三角形、四角形等のいかなる形状でも良い。また、植木鉢６０ａの下部側面には、鉢土の水分の確認及び根の成長状態を目視可能な観察窓６４を有していても良い。観察窓６４には無色透明なアクリル板６４ａをはめ込むことが望ましい。観察窓６４は図４（ｃ）に示すように植木鉢６０の側面に枠６４ｂを設け、無色透明なアクリル板６４ａを差し込む。なお、観察窓は図５（ａ）に示すように、単にスリット６４ｃ又はメッシュ６４ｄを設けるのでも良い。そして、観察窓の形状は長方形、円形、楕円などいかなる形状でも良い。このとき、外枠体４０及び内枠体３０の下部側面にも観察窓６４を有していてもよい。外枠孔４４と内枠孔３４の側とは反対側に、植木鉢６０の側面に設けられた観察窓６４と同じ高さで観察窓６４を設け、可視化を図る。栽培具５０に土を補充した際、上面の縁の低い側３０ａ、４０ａと外枠孔４４と内枠孔３４を合致させると、内枠体３０及び外枠体４０に設けた其々の観察窓６４が一致し、鉢土の水分の確認及び根の成長状態が目視可能となる。観察窓６４は植木鉢６０、外枠体４０及び内枠体３０の下部側面に有することが好ましいが、上部側面等の位置に有していても良い。尚、観察窓６４は他の実施例においても外枠体４０や内枠体３０、植木鉢６０に設けることができる。
【００１４】
図７は本発明に係る栽培具５０を植木鉢６０の底面に横方向に設けた第二の形態の植木鉢６０ｂを示す図である。この時、植木鉢６０の底面に面する部分について、下部の内枠体３０と外枠体４０は開口していることが好ましい。また、植木鉢６０ｂは栽培具５０を着脱自在に保持する係止具６６を有する。係止具６６の素材は合成樹脂であることが望ましいが、木材や金属素材等を用いてもよい。また、係止具６６は図７（ｃ）に示すように例えば一端に回転軸６７ａを有し、回転軸６７ａを起点に回転する。また、係止具６６の他端には係止爪６７ｂを備え、係止爪６７ｂが栽培具５０の側面に形成された係止受け５２と係合することで、植木鉢６０ｂと栽培具５０を固定する。
【００１５】
植木鉢６０の底面６３に、底面方向垂直に突出した直方体（図７（ｄ）（ｆ））又は円筒型（図７（ｅ）（ｇ））の底凸部６８を設ける。底凸部６８から、栽培具５０との接する面が突出し、表面積が大きくなるので発根を促進する。図７（ｂ）（ｄ）に示すように直方体の底凸部６８はスライド式、また、図７（ｅ）に示すように円筒型はネジ式で、キャップ６９がそれぞれ装着される。キャップ６９には水抜き用の孔７１が設けられる。底凸部６８の部分まで根が発達した後にキャップ６９を取り外して栽培具５０と接すると、栽培具５０側への発根が促進される。また、内枠体３０の奥の上部縁には凹部７０を設けて底凸部６８の通過を妨げないようにしておくことが好ましい。
【００１６】
図８は本発明に係る栽培具５０を植木鉢６０の底面に横方向に設けた第二の形態の植木鉢６０ｂの他の例を示す図である。この時、植木鉢６０の底面には、外枠体４０が接している。この場合、鉢底孔６２と外枠孔４４は垂直方向に配列し、略同位置とすることが好ましい。内枠体３０の上部は開口しており、鉢底孔６２及び外枠孔４４を通って栽培具５０側に発根が促される。尚、植木鉢６０の底面を図７（ｆ）（ｇ）のような構成にする場合は、底凸部６８の形状に合わせて外枠孔４４を設けると共に、後述する図９で示されるように、内枠体３０の奥の上部縁に凹部７０を設けて底凸部６８の通過を妨げないようにしておくことが好ましい。
【００１７】
図９は植木鉢６０ｂと外枠体４０を一体成型とし、植木鉢６０ｂの下部に内枠体３０を引き出し可能に設けた第二の形態の植木鉢６０ｂの他の例を示す図である。植木鉢の底面６３の構成については上述した実施例と同様に、図７（ｆ）及び（ｇ）のような構成とすることができる。観察窓６４も植木鉢６０ｂの側面や内枠体３０に設けることができる。さらに、内枠体３０の奥の上部縁には凹部７０を設けて底凸部６８の通過を妨げないようにしておくことが好ましい。
【００１８】
図１０は栽培具５０を植木鉢６０の底面に設けた第三の形態の植木鉢６０ｃを示す図である。この植木鉢６０ｃでは上面が開口した栽培具５０を着脱可能に構成する。そして、植木鉢６０ｃは栽培具５０を着脱自在に保持するための植木鉢６０ｂと同様の係止具６６を有する。また、図１１に示すように植木鉢６０ｃの底面には、鉢底孔６２の他に底面方向垂直に突出した円筒形の底凸部６８を有する。尚、底凸部６８にはネジ条を形成し、底凸部６８を覆うキャップ６９を装着可能とすることが好ましい。そして、植木鉢６０ｃ内に植物の根が張ったとき、キャップを外して栽培具５０を装着することで、底凸部６８内に張った根が底面から突出し、栽培具５０内の用土に接触するので植物の根の成長を促進することができる。尚、底凸部６８は円筒形に限らず、三角、四角等のいかなる形状でもよく、上述した実施例と同様に、図７（ｆ）及び（ｇ）のような構成とすることができる。
【００１９】
次に、本発明に係る栽培具５０の使用方法を、図１２を用いて説明する。まず、市販の植木鉢６０を用意する。次に、図１２に示すように市販の植木鉢６０の中に栽培具５０を任意の数挿入する。次に、植木鉢の中に用土を入れて植物を植える。この時、内枠体３０を回転させ、内枠孔３４と外枠孔４４との位置を異なる位置にし、内枠体３０内には用土は入れない。尚、初めから内枠体３０の中に用土を入れると肥料・水分過多となり、植物が軟弱になる可能性がある。次に、植物の根が植木鉢６０に対し十分に張ってきたことを確認したら、内枠体３０を回転させ、内枠体３０の内枠孔３４と外枠体４０の外枠孔４４との位置を同位置にする。そして、内枠体３０に植物の育成段階に合わせた用土を投入する。尚、この時、肥料の添加を多くした用土を用いて、いわゆる深層施肥の栽培具として使用することも可能である。
【００２０】
次に、植物の根が内枠体３０中に成長が進み根詰まり状態となって、土の交換が必要になった場合、内枠体３０を外枠体４０から抜き取る。そして、植物の成長に応じた用土への入れ替えを行う。尚、内枠体３０内に成長した古い根を内枠体３０の抜き取りと同時に断根することにより、養分の吸収率が良い若い根が成長するため、植木鉢の容量を広げることなく、植物の成長効率を向上させることができる。尚、栽培具５０を複数本差しておくことにより、用土の入れ替えを順次行うことができるため、植物の根に対する断根時の一時的なダメージを分散して、効果的に土の入れ替えを行うことができる。
【００２１】
次に、本発明に係る第一の形態の植木鉢６０ａの使用方法を説明する。まず、図４に示す植木鉢６０ａの中に用土を入れて植物を植える。この時、内枠体３０を回転させ、内枠体３０の内枠孔３４と外枠体４０の外枠孔４４との位置を異なる位置にし、内枠体３０内には用土は入れない。次に、第一形態の植木鉢６０ａの下部に付いている観察窓６４にて植木鉢内部を確認し、植物の根が植木鉢６０ａに対し十分に張ってきたことを確認したら、内枠体３０を回転させ内枠孔３４と外枠孔４４との位置を同位置にする。そして、内枠体３０に植物の育成段階に合わせた用土を投入する。尚、内枠体３０及び外枠体４０が多角柱の場合は、一旦内枠体３０を引き抜いて回転させ、再度外枠体４０へ挿入する。
【００２２】
次に、外枠体４０及び内枠体３０側の観察窓６４を確認し、例えば植物の根が内枠体３０中で根詰まり状態となり、土の交換が必要になった場合、内枠体３０を外枠体４０から抜き取る。そして、植物の成長に応じた用土への入れ替えを行う。尚、内枠体３０内に成長した古い根は内枠体３０の抜き取りと同時に断根されるため、養分の吸収率が良い若い根が成長し、植木鉢の容量を広げることなく、植物の成長効率を向上させることができる。尚、内枠体３０による用土の入れ替えを順次行うことにより、植物の根に対する断根時の一時的なダメージを分散して、効果的に土を入れ替えることができる。
【００２３】
次に、本発明に係る第二の形態の植木鉢６０ｂの使用方法を説明する。まず、図７に示す植木鉢６０ｂの中に用土を入れて植物を植える。このとき、係止具６６の係合状態を解除して、栽培具５０は取り外しておく。次に、植木鉢６０ｂ内に根が張ってきたことを確認したら、係止具６６を用いて植木鉢６０ｂに栽培具５０を装着する。尚、最初から植木鉢６０ｂと栽培具５０を係合しておく場合は、植木鉢６０ｂ内に根が張るまで、土を内枠体３０内にはまだ入れないでおくことが好ましい。次に、外枠体４０から内枠体３０を引き出し、植物の育成段階に合わせた用土を投入する。次に、内枠体３０を外枠体４０に挿入する。
【００２４】
次に、外枠体４０及び内枠体３０の観察窓６４を確認し、植物の根が内枠体３０中で根詰まり状態となって、土の交換が必要になった場合、内枠体３０を外枠体４０から抜き取る。そして、植物の成長に応じた用土への入れ替えを行う。尚、内枠体３０内に成長した古い根は内枠体３０の抜き取りと同時に断根されるため、養分の吸収率が良い若い根が成長し、植木鉢の容量を広げることなく、植物の成長効率を向上させることができる。尚、内枠体３０による用土の入れ替えを順次行うことにより、植物の根に対する断根時の一時的なダメージを分散して、効果的に土を入れ替えることができる。
【００２５】
次に、図１０に示す第三の形態の植木鉢６０ｃの使用方法を説明する。まず、植木鉢６０ｃの中に用土を入れて植物を植える。このとき、係止具６６の係合状態を解除して、栽培具５０は取り外しておく。尚、キャップ６９は装着しておく。次に、植木鉢６０ｃ内に根が張ってきたことを確認したら、栽培具５０に植物の育成段階に合わせた用土を投入し、キャップ６９を取り外し、係止具６６を用いて植木鉢６０ｃに栽培具５０を装着する。尚、底凸部６８内に根が張ることにより、植木鉢６０ｃの植物の根が栽培具５０内の用土と密接しやすくなり、植物の根の成長を促進することができる。最初から植木鉢６０ｃと栽培具５０を係合しておく場合は、植木鉢６０ｃ内に根が張るまで、土を栽培具５０内にはまだ入れないでおくことが好ましい。
【００２６】
次に、栽培具５０の観察窓６４を確認し、植物の根が栽培具５０中に根詰まり状態となり、土の交換が必要になった場合、栽培具５０を取り外し、栽培具５０内に植物の成長に応じた用土の入れ替えを行う。尚、このとき栽培具５０内に成長した古い根を栽培具５０の取り外しと同時に断根することにより、養分の吸収率が良い若い根が成長するため、植木鉢の容量を広げることなく、植物の成長効率を向上することができる。尚、栽培具５０を複数使用することにより、用土の入れ替えを順次行うことができるため、植物の根に対する断根時の一時的なダメージを分散して、効果的に土を入れ替えることができる。
【００２７】
以上のように、本発明に係る栽培具５０は市販の植木鉢６０に使用することで簡単に土や肥料を部分的に交換できるので、新しく育成スペースを設ける必要がなく、経済的に植物の成長効率を向上させることができる。又、用土を入れ替える際に内枠体３０に侵入した古い根を同時に断根することにより、植物の新しい根が張るスペースを確保し旺盛な成長を維持することができる。更に、栽培具５０を複数本組み込むことで時期をずらして順次土の入れ替えを行うことにより、断根による植物のダメージを分散して効果的に土を入れ替えることができる。加えて、ナス、キュウリ等の野菜の場合は用土の入れ替えと断根により、収穫期間を長くすることができる。
【００２８】
尚、本例で示した栽培具５０及び植木鉢６０は一例であり、本発明は発明の範囲を逸脱しない範囲で変更して実施することができる。
【符号の説明】
【００２９】
３０          内枠体
３４          内枠孔
４０          外枠体
４４          外枠孔
５０          栽培具
６０          植木鉢
６０ａ        第一の形態の植木鉢
６０ｂ        第二の形態の植木鉢
６０ｃ        第三の形態の植木鉢
【図１】
0006468987.tif 000002
【図２】
0006468987.tif 000003
【図３】
0006468987.tif 000004
【図４】
0006468987.tif 000005
【図５】
0006468987.tif 000006
【図６】
0006468987.tif 000007
【図７】
0006468987.tif 000008
【図８】
0006468987.tif 000009
【図９】
0006468987.tif 000010
【図１０】
0006468987.tif 000011
【図１１】
0006468987.tif 000012
【図１２】
0006468987.tif 000013